(57)【要約】【課題】ラベルに印字される重量値の視認性を向上させると共に、ラベルの節約に寄与する印字装置を提供する。【解決手段】印字装置は、取得部と、決定部と、印字部とを備える。取得部は、物品の重量およびサイズの少なくとも一方に関する情報を取得する。決定部は、物品の重量およびサイズの少なくとも一方に関する情報に基づいて、物品の重量値のフォントサイズを決定する。印字部は、物品に貼付するためのラベルにフォントサイズで重量値を印字する。【選択図】図８
2017007238.tif 000002
【特許請求の範囲】
【請求項１】
物品の重量およびサイズの少なくとも一方に関する情報を取得する取得部と、
前記情報に基づいて、前記物品の重量値のフォントサイズを決定する決定部と、
前記物品に貼付するためのラベルに前記フォントサイズで前記重量値を印字する印字部と、
を備える印字装置。
【請求項２】
前記フォントサイズの規定最小サイズに関する情報を記憶している記憶部をさらに備え、
前記決定部は、さらに、前記規定最小サイズに関する情報に基づいて、前記フォントサイズを決定する、
請求項１に記載の印字装置。
【請求項３】
ユーザからフォントサイズの指定を受け付ける受付部をさらに備え、
前記ユーザによって指定された前記フォントサイズが前記規定最小サイズに満たない場合に、前記決定部は、前記規定最小サイズを前記フォントサイズとして決定する、
請求項２に記載の印字装置。
【請求項４】
ユーザからフォントサイズの指定を受け付ける受付部と、
前記ユーザによって指定された前記フォントサイズが前記規定最小サイズに満たない場合に、前記規定最小サイズに満たない旨を前記ユーザに報知する報知部と、
をさらに備える請求項２に記載の印字装置。
【請求項５】
前記記憶部は、前記規定最小サイズに関する情報を複数記憶しており、
前記規定最小サイズに関する情報のそれぞれは、国を示す情報に対応付けられており、
前記決定部は、前記国を示す情報に基づいて、前記印字装置が利用される国に対応する、前記規定最小サイズに関する情報を選択する、
請求項２から請求項４のいずれか１項に記載の印字装置。
【請求項６】
前記フォントサイズが可変である可変モードと、前記フォントサイズが固定である固定モードとを切り替える切替部をさらに備え、
前記切替部が前記可変モードに切り替えた場合に、前記決定部は、前記情報に基づいて、前記フォントサイズを決定する、
請求項１から請求項５のいずれか１項に記載の印字装置。
【請求項７】
前記ラベルが前記物品の表面用のラベルである場合に、前記決定部は、前記情報に基づいて、前記フォントサイズを決定する、
請求項１から請求項５のいずれか１項に記載の印字装置。
【請求項８】
前記決定部は、前記情報に基づいて、前記ラベルのうち、前記重量値が印字される領域の隣接領域に印字される印字内容のフォントサイズをさらに決定し、
前記印字部は、さらに、前記隣接領域用の前記フォントサイズで前記印字内容を印字する、
請求項１から請求項７のいずれか１項に記載の印字装置。
【請求項９】
前記決定部は、前記印字内容として前記重量値の単位の前記フォントサイズを決定する、
請求項８に記載の印字装置。
【請求項１０】
前記決定部は、前記情報に基づいて、前記ラベルの長さをさらに決定する、
請求項１から請求項９のいずれか１項に記載の印字装置。
【発明の詳細な説明】
【技術分野】
【０００１】
本発明は、印字装置に関する。
【背景技術】
【０００２】
設定項目に基づき、印字データをラベルに印字する制御手段を備える装置が知られている（特許文献１（特開２０１４−２３１１６６号公報）参照）。
【発明の概要】
【発明が解決しようとする課題】
【０００３】
消費者が商品を選択する場合に、当該商品のラベルに印字された重量値を確認する場合がある。商品が比較的軽ければ、または小さければ、消費者は商品を実際に手に取って重量値を確認することができる。一方で、商品がかなり重ければ、または大きければ、商品を手に取ることは困難である。この場合に、消費者が商品を手に取ることなく、ラベルの重量値を確認できれば、便利である。以上のように、ラベルに印字される重量値には、ある程度の視認性が要求される。一方で、視認性と同時に、ラベルの節約も重要である。
【０００４】
本発明の課題は、ラベルに印字される重量値の視認性を向上させると共に、ラベルの節約に寄与する印字装置を提供することである。
【課題を解決するための手段】
【０００５】
本発明の第１観点に係る印字装置は、取得部と、決定部と、印字部とを備える。取得部は、物品の重量およびサイズの少なくとも一方に関する情報を取得する。決定部は、取得した情報に基づいて、物品の重量値のフォントサイズを決定する。印字部は、物品に貼付するためのラベルに決定したフォントサイズで重量値を印字する。
【０００６】
ここで、「物品のサイズに関する情報」は、物品を収納するトレイのサイズ、および物品におけるラベル貼付面（すなわち物品の表面）のサイズを含む。
【０００７】
本発明の第１観点に係る印字装置では、物品の重量およびサイズの少なくとも一方に関する情報に基づいて、物品の重量値のフォントサイズを決定する。したがって、物品の重量またはサイズに応じたフォントサイズで重量値を印字することができる。結果として、ラベルに印字される重量値の視認性を向上させると共に、ラベルの節約に寄与することができる。
【０００８】
本発明の第２観点に係る印字装置は、フォントサイズの規定最小サイズに関する情報を記憶している記憶部をさらに備える。決定部は、さらに、規定最小サイズに関する情報に基づいて、フォントサイズを決定する。
【０００９】
本発明の第２観点に係る印字装置では、規定最小サイズに関する情報に基づいてフォントサイズを決定するので、ラベルに印字される重量値の視認性を向上させると共に、ラベルの節約に寄与することができる。
【００１０】
本発明の第３観点に係る印字装置は、ユーザからフォントサイズの指定を受け付ける受付部をさらに備える。ユーザによって指定されたフォントサイズが規定最小サイズに満たない場合に、決定部は、規定最小サイズをフォントサイズとして決定する。
【００１１】
本発明の第３観点に係る印字装置では、ユーザによって指定されたフォントサイズが規定最小サイズに満たない場合に、規定最小サイズをフォントサイズとして決定する。したがって、ユーザがフォントサイズを指定することにより重量値の視認性が低下する状況を回避することができる。
【００１２】
本発明の第４観点に係る印字装置は、受付部と、報知部とをさらに備える。受付部は、ユーザからフォントサイズの指定を受け付ける。報知部は、ユーザによって指定されたフォントサイズが規定最小サイズに満たない場合に、規定最小サイズに満たない旨をユーザに報知する。
【００１３】
本発明の第４観点に係る印字装置では、ユーザによって指定されたフォントサイズが規定最小サイズに満たない場合に、ユーザに報知するので、規定最小サイズ以上のフォントサイズを指定するように、ユーザに促すことができる。
【００１４】
本発明の第５観点に係る印字装置においては、記憶部は、規定最小サイズに関する情報を複数記憶している。規定最小サイズに関する情報のそれぞれは、国を示す情報に対応付けられている。決定部は、国を示す情報に基づいて、印字装置が利用される国に対応する、規定最小サイズに関する情報を選択する。
【００１５】
本発明の第５観点に係る印字装置では、印字装置が利用される国に対応する、規定最小サイズに関する情報に基づいて、フォントサイズを決定するので、各国の要請に応じたフォントサイズで印字することができる。
【００１６】
本発明の第６観点に係る印字装置は、フォントサイズが可変である可変モードと、フォントサイズが固定である固定モードとを切り替える切替部をさらに備える。切替部が可変モードに切り替えた場合に、決定部は、物品の重量およびサイズの少なくとも一方に関する情報に基づいて、フォントサイズを決定する。
【００１７】
本発明の第６観点に係る印字装置では、可変モードと固定モードを切り替えることができるので、実施に即した態様を提供することができる。
【００１８】
本発明の第７観点に係る印字装置においては、ラベルが物品の表面用のラベルである場合に、決定部は、物品の重量およびサイズの少なくとも一方に関する情報に基づいて、フォントサイズを決定する。
【００１９】
本発明の第７観点に係る印字装置では、物品の表面用のラベルに印字される重量値のフォントサイズを、物品の重量およびサイズの少なくとも一方に関する情報に基づいて決定するので、重量値の視認性を向上させることができる。
【００２０】
本発明の第８観点に係る印字装置においては、決定部は、物品の重量およびサイズの少なくとも一方に関する情報に基づいて、ラベルのうち、重量値が印字される領域の隣接領域に印字される印字内容のフォントサイズをさらに決定する。印字部は、さらに、隣接領域用のフォントサイズで印字内容を印字する。
【００２１】
本発明の第８観点に係る印字装置では、物品の重量およびサイズの少なくとも一方に関する情報に基づいて、重量値が印字される領域の隣接領域に印字される印字内容のフォントサイズも決定するので、重量値が印字される領域の周辺の統一感を向上させることができる。結果として、ラベルの見栄えを向上させることが期待できる。
【００２２】
本発明の第９観点に係る印字装置においては、決定部は、印字内容として重量値の単位のフォントサイズを決定する。
【００２３】
本発明の第９観点に係る印字装置では、印字内容として重量値の単位のフォントサイズを決定するので、重量値の単位の視認性を向上させることができる。
【００２４】
本発明の第１０観点に係る印字装置においては、決定部は、物品の重量およびサイズの少なくとも一方に関する情報に基づいて、ラベルの長さをさらに決定する。
【００２５】
本発明の第１０観点に係る印字装置では、物品の重量およびサイズの少なくとも一方に関する情報に基づいてラベルの長さを決定するので、ラベルの長さを節約することができる。
【発明の効果】
【００２６】
本発明に係る印字装置では、物品の重量またはサイズに応じたフォントサイズで重量値を印字するので、ラベルに印字される重量値の視認性を向上させると共に、ラベルの節約に寄与することができる。
【図面の簡単な説明】
【００２７】
【図１】印字装置の一例としての対面プリンタの外観斜視図である。
【図２】カバーが開いた状態の対面プリンタの外観斜視図である。
【図３】対面プリンタの機能ブロック図である。
【図４】ラベルのフォーマットデータを説明する図である。
【図５】ラベルの印字例を説明する図である。
【図６】フォントサイズテーブルを説明する図である。
【図７】対面プリンタによるラベル発行処理を示すローチャートである。
【図８】フォントサイズ決定処理を示すフローチャートである。
【図９】印字装置の一例としての自動ラベラの簡易構成図である。
【発明を実施するための形態】
【００２８】
本発明の実施形態を以下に示す。なお、以下の実施形態は、具体例に過ぎず、特許請求の範囲に係る発明を限定するものではない。
【００２９】
（１）対面プリンタの構成
図１は、印字装置の一例としての対面プリンタ１００の外観斜視図である。図２は、カバー部１５０が開いた状態の対面プリンタ１００の外観斜視図である。本実施形態の対面プリンタ１００においては、「前」、「後」、「上」、「下」、「左」、および「右」の６つの方向は、図１に示されるように定義される。
【００３０】
対面プリンタ１００は、物品の一例としての商品を計量し、計量した商品に貼り付けるラベルを発行する。対面プリンタ１００は、本体部１０１、表示部１１０、操作部１２０、計量部１３０、印字部１４０、カバー部１５０、カセット装着部１６０、およびカセット１７０を備える。
【００３１】
表示部１１０は、対面プリンタ１００の本体部１０１の前部に配置される。表示部１１０は、タッチパネルディスプレイである。表示部１１０は、各種設定に関するメニュー画面、入力画面等を表示すると共に、表示画面に対するユーザの操作入力を受け付ける。例えば、フォントサイズの設定モードの選択画面を表示すると共に、設定モードの選択をユーザから受け付ける。フォントサイズの設定モードが後述の可変モードに設定されている場合に、重量値のフォントサイズの入力画面を表示すると共に、フォントサイズの入力をユーザから受け付ける。また、対面プリンタ１００が設置、利用される国の設定画面を表示すると共に、国を指定する入力をユーザから受け付ける。
【００３２】
操作部１２０は、本体部１０１の前部に配置される。本実施形態の対面プリンタ１００では、操作部１２０は、表示部１１０と一体的に形成される。操作部１２０は、表示部１１０を介して選択された商品に関する各種のデータを呼び出すための呼出キー、商品を選択するためのテンキー、および印字処理を実行させるための印字キー等を有する。
【００３３】
計量部１３０は、本体部１０１の上部に配置される。計量部１３０は、主として、計量台１３１と、計量台１３１の下方に設けられるロードセル（不図示）とを有する。計量台１３１に載せられた商品は、ロードセルによって計量される。
【００３４】
カセット装着部１６０は、本体部１０１の前部に形成される開口部である。カセット装着部１６０には、ラベルを収納したカセット１７０が、着脱自在に装着される。カバー部１５０は、カセット装着部１６０用の開閉自在のカバーである。
【００３５】
印字部１４０は、サーマルヘッド１４１および弾性プレート１４２を有する。本実施形態の対面プリンタ１００においては、印字部１４０は、カバー部１５０と一体的に形成される。
【００３６】
サーマルヘッド１４１は、商品に関するラベル情報をラベルに印字する。本実施形態においては、ラベル情報は、項目として、重量値、重量値単位、商品名、消費期限、加工日、値段、バーコード、および製造者情報を含む。サーマルヘッド１４１は、カバー部１５０が閉じられた状態において、ラベルを送出するためのプラテンローラに対向する位置に配置される。サーマルヘッド１４１は、プラテンローラを通過するラベルに上方から当接して印字する。弾性プレート１４２は、ラベルの切り離しに利用される。なお、印字部１４０は、カバー部１５０と別体でもよい。
【００３７】
（２）対面プリンタの機能ブロック
図３は、対面プリンタ１００の機能ブロック図である。対面プリンタ１００は、表示部１１０、操作部１２０、計量部１３０、および印字部１４０に加え、記憶部１８０、計時部１８１、および制御部１９０を備える。
【００３８】
記憶部１８０は、後述するラベルのフォーマットデータ、およびフォントサイズの規定最小サイズに関する情報を記憶している。本実施形態においては、フォントサイズの規定最小サイズに関する情報として、後述するフォントサイズテーブルを記憶している。また、記憶部１８０は、各種商品のマスタ商品情報を記憶している。本実施形態においては、マスタ商品情報は、項目として、商品名、バーコード、および製造者情報を含む。
【００３９】
計時部１８１は、日時を計る。計時部１８１は、日時を示す日時情報を制御部１９０に送信する。日時情報は、ラベル情報に含まれる消費期限および加工日に利用される。
【００４０】
制御部１９０は、表示部１１０、操作部１２０、計量部１３０、印字部１４０、記憶部１８０、および計時部１８１に接続される。制御部１９０は、ＣＰＵ、ＲＯＭ、およびＲＡＭ等から構成されるコンピュータである。ＣＰＵがＲＯＭに記憶されている制御プログラムを実行することによって、制御部１９０は、特定の機能部として働く。本実施形態においては、制御部１９０は、商品の重量に関する情報として商品の重量値を計量部１３０から取得する取得部として機能する。制御部１９０は、商品の重量値に基づいて、商品の重量値のフォントサイズを決定する決定部として機能する。制御部１９０は、フォントサイズの設定モードとして、フォントサイズが可変である可変モードと、フォントサイズが固定である固定モードとを切り替える切替部として機能する。
【００４１】
（３）フォーマットデータ
図４は、ラベルのフォーマットデータを説明する図である。ラベルのフォーマットデータは、ラベルのフォーマットを規定するデータである。ここでは、特に、フォーマットデータのうちフォントサイズデータに着目して説明する。なお、実際には、フォーマットデータは、フォントサイズデータに加えて、印字されるエリアを示すエリアデータも含む。フォントサイズデータおよびエリアデータによって、どのフォントサイズでどのエリアに印字するかが規定される。
【００４２】
上述したラベル情報の項目のそれぞれは、フォントサイズおよび可変対応情報に対応付けられる。フォントサイズの項目には、予め設定されている固定値が記述される。可変対応情報の項目は、可変モードへの対応の可否を示す。可変対応情報の項目には、可変モードに対応する場合に「可」が記述され、可変モードに対応しない場合に「否」が記述される。本実施形態においては、重量値および重量値単位の項目は、可変モードに対応する。なお、フォントサイズは、ドット表記に限られず、ポイント（Ｐｔ）、ミリメートル（ｍｍ）等の他の表記であってもよい。
【００４３】
（４）ラベルの印字例
図５は、ラベルの印字例を説明する図である。ラベルは、上述のフォーマットデータに基づいて生成される。図５に示されるように、ラベルは、重量値、重量値単位、商品名、消費期限、加工日、値段、バーコード、および製造者に関する情報を含む。
【００４４】
（５）フォントサイズテーブル
図６は、重量値および重量値単位のフォントサイズテーブルを説明する図である。フォントサイズテーブルは、項目として、国コード、重量レンジ、規定最小サイズ、およびユーザ指定最大サイズを含む。本実施形態においては、複数のフォントサイズテーブルが記憶されている。
【００４５】
国コードは、国を示す情報である。図６の例では、国コードとして「００１」が記述されている。フォントサイズテーブルは、予め設定されている国に対応する国コード毎に用意されている。
【００４６】
重量レンジは、商品の重量レンジを示す。図６の例では、重量レンジとして「０〜５０ｇ」、「５１〜２００ｇ」、「２０１〜１０００ｇ」、および「１００１ｇ〜」が記述されている。
【００４７】
規定最小サイズは、重量値および重量値単位のフォントサイズとして許容される最小サイズを示す。規定最小サイズは、重量レンジに応じて規定される。図６の例では、規定最小サイズとして「２ｍｍ以上」、「３ｍｍ以上」、「４ｍｍ以上」、および「６ｍｍ以上」が記述されている。
【００４８】
ユーザ指定最大サイズは、重量値および重量値単位のフォントサイズがユーザによって指定される場合に許容される最大サイズを示す。ユーザ指定最大サイズは、重量レンジに応じて規定される。図６の例では、ユーザ指定最大サイズとして「４ｍｍ」、「６ｍｍ」、「８ｍｍ」、および「１０ｍｍ」が記述されている。
【００４９】
ここで、全ての重量レンジにおいて共通の規定最小サイズ（例えば６ｍｍ以上）が規定されていれば、商品の重量に関わらず、同一の規定最小サイズが利用されてしまう。本実施形態においては、図６に示されるように、重量レンジが小さくなるほど、規定最小フォントサイズが小さくなるので、ラベル長を節約することができる。特に、台紙レスのラベルが利用される場合に有用である。
【００５０】
（６）ラベル発行処理を示すローチャート
図７は、対面プリンタ１００によるラベル発行処理を示すローチャートである。本フローチャートは、対面プリンタ１００の電源がオンされることによって開始される。なお、ラベル発行処理の対象の商品は、ユーザによって計量台１３１に置かれる。ユーザは、操作部１２０を介して、対象の商品の商品名を選択することによって、当該商品を指定する。ここでは、図５で示したラベルの商品が指定され、図６で示した国コード「００１」に対応する国がユーザによって設定済みの場合を例に挙げて説明する。
【００５１】
制御部１９０は、商品が指定されたか判定する（ステップＳ１０１）。制御部１９０は、商品が指定されたと判定した場合には（ステップＳ１０１でＹｅｓ）、当該商品に対応するマスタ商品情報を読み出す（ステップＳ１０２）。一方、制御部１９０は、商品が指定されていないと判定した場合には（ステップＳ１０１でＮｏ）、待機する。
【００５２】
制御部１９０は、読み出したマスタ商品情報を基に、ラベル情報を生成する（ステップＳ１０３）。具体的な処理内容は、以下の通りである。制御部１９０は、計時部１８１から日時情報を取得し、日時情報に示される日付を加工日の項目に記述する。ここでは、「加工日」に「１５．６．８」を記述する。制御部１９０は、日時情報に示される日付に予め設定されている日数（例えば２日）が加算された値を、消費期限の項目に記述する。ここでは、「消費期限」に「１５．６．１０」を記述する。制御部１９０は、計量部１３０から商品の重量値を取得する。そして、商品の重量値を基に、重量値および重量値単位の項目に記述する。ここでは、「重量値」に「２００」を記述し、「重量値単位」に「ｇ」を記述する。制御部１９０は、商品の重量値を基に値段を算出し、算出した値段を値段の項目に記述する。ここでは、「値段」に「１０００」を記述する。以上により、ラベル情報は生成される。
【００５３】
制御部１９０は、計量部１３０から取得した商品の重量値を基に、後述のフォントサイズ決定処理を実行する（ステップＳ１０４）。
【００５４】
フォントサイズの決定後、ラベルに対する印字処理を実行する（ステップＳ１０５）。具体的には、生成済みの商品のラベル情報を、フォーマットデータのフォントサイズに示される固定値、および決定済みのフォントサイズに従ってラベルに印字する。これにより、図５に示したラベルを発行することができる。
【００５５】
制御部１９０は、電源がオフされたかを判定する（ステップＳ１０６）。電源がオフされていないと判定する場合には（ステップＳ１０６でＮＯ）、ステップＳ１０１に移行する。電源がオフされたと判定する場合には（ステップＳ１０６でＹＥＳ）、一連の処理を終了する。
【００５６】
（７）フォントサイズ決定処理を示すローチャート
図８は、フォントサイズ決定処理を示すフローチャートである。本フローチャートにおいて、変数Ｉｎｐｕｔは、ユーザによって指定されるフォントサイズを示す。変数Ｍｉｎは、商品の重量レンジに応じた規定最小サイズを示す。変数Ｍａｘは、商品の重量レンジに応じたユーザ指定最大サイズを示す。定数Ｃｏｎは、設定モードが固定モードに設定されている場合の重量値および重量値単位のフォントサイズを示す。ここでは、「１０×１０ｄｏｔ」である。
【００５７】
制御部１９０は、フォントサイズの設定モードが可変モードに設定されているか判定する（ステップＳ２０１）。制御部１９０は、フォントサイズの設定モードが可変モードに設定されていない、すなわち固定モードに設定されていると判定する場合には（ステップＳ２０１でＮＯ）、フォントサイズとしてフォーマットデータに記述されている固定値を選択する（ステップＳ２０２）。ここでは、フォントサイズとして「１０×１０ｄｏｔ」を選択する。
【００５８】
制御部１９０は、フォントサイズの設定モードが可変モードに設定されていると判定する場合には（ステップＳ２０１でＹＥＳ）、設定されている国を示す国コードに対応するフォントサイズテーブルを読み出す（ステップＳ２０３）。ここでは、国コード「００１」に対応するフォントサイズテーブルを読み出す。
【００５９】
制御部１９０は、フォントサイズのユーザ入力があるか判定する（ステップＳ２０４）。制御部１９０は、フォントサイズのユーザ入力がないと判定する場合には（ステップＳ２０４でＮＯ）、フォントサイズとして変数Ｍｉｎを選択する（ステップＳ２０５）。ここでは、商品の重量が２００ｇなので、重量レンジが「５１〜２００ｇ」に対応する「３ｍｍ」を選択する。
【００６０】
制御部１９０は、フォントサイズのユーザ入力があると判定する場合には（ステップＳ２０４でＹＥＳ）、変数Ｉｎｐｕｔが変数Ｍｉｎ以上であるか判定する（ステップＳ２０６）。ここでは、変数Ｉｎｐｕｔが３ｍｍ以上であるかを判定する。制御部１９０は、変数Ｉｎｐｕｔが変数Ｍｉｎ未満であると判定する場合には（ステップＳ２０６でＮＯ）、フォントサイズとして変数Ｍｉｎを選択する（ステップＳ２０５）。ここでは、３ｍｍを選択する。制御部１９０は、変数Ｉｎｐｕｔが変数Ｍｉｎ以上であると判定する場合には（ステップＳ２０６でＹＥＳ）、変数Ｉｎｐｕｔが変数Ｍａｘよりも大きいか判定する（ステップＳ２０７）。ここでは、変数Ｉｎｐｕｔが６ｍｍよりも大きいかを判定する。制御部１９０は、変数Ｉｎｐｕｔが変数Ｍａｘ以下であると判定する場合には（ステップＳ２０７でＮＯ）、フォントサイズとして変数Ｉｎｐｕｔを選択する（ステップＳ２０８）。
【００６１】
制御部１９０は、変数Ｉｎｐｕｔが変数Ｍａｘよりも大きいと判定する場合には（ステップＳ２０７でＹＥＳ）、フォントサイズとして変数Ｍａｘを選択する（ステップＳ２０９）。ここでは、６ｍｍを選択する。
【００６２】
制御部１９０がステップＳ２０２、ステップＳ２０５、ステップＳ２０８、またはステップＳ２０９においてフォントサイズを選択すると、フォントサイズ決定処理を終了する。
【００６３】
（８）特徴
上記の実施形態の対面プリンタ１００は、制御部１９０と印字部１４０を備える。制御部１９０は、商品の重量値を取得すると共に、取得した商品の重量値に基づいて、商品の重量値のフォントサイズを決定する。印字部１４０は、商品に貼付するためのラベルにフォントサイズで重量値を印字する。
【００６４】
上記の実施形態の対面プリンタ１００では、取得した商品の重量値に基づいて、商品の重量値のフォントサイズを決定するので、商品の重量に応じたフォントサイズで商品の重量値を印字することができる。結果として、ラベルに印字される重量値の視認性を向上させると共に、ラベルの節約に寄与することができる。
【００６５】
上記の実施形態の対面プリンタ１００は、フォントサイズの規定最小サイズを含むフォントサイズテーブルを記憶している記憶部１８０をさらに備える。制御部１９０は、さらに、フォントサイズテーブルに基づいて、商品の重量値のフォントサイズを決定する。
【００６６】
上記の実施形態の対面プリンタ１００では、規定最小サイズが規定されたフォントサイズテーブルに基づいて、商品の重量値のフォントサイズを決定するので、ラベルに印字される重量値の視認性を向上させると共に、ラベルの節約に寄与することができる。
【００６７】
上記の実施形態の対面プリンタ１００は、ユーザからフォントサイズの指定を受け付ける表示部１１０をさらに備える。ユーザによって指定されたフォントサイズが規定最小サイズに満たない場合に、制御部１９０は、規定最小サイズをフォントサイズとして決定する。
【００６８】
上記の実施形態の対面プリンタ１００では、ユーザによって指定されたフォントサイズが規定最小サイズに満たない場合に、規定最小サイズをフォントサイズとして決定するので、重量値の視認性の低下を回避することができる。
【００６９】
上記の実施形態の対面プリンタ１００においては、記憶部１８０は、フォントサイズテーブルを複数記憶している。それぞれのフォントサイズテーブルは、国を示す国コードに対応付けられている。制御部１９０は、国コードに基づいて、対面プリンタ１００が利用される国に対応するフォントサイズテーブルを選択する。
【００７０】
上記の実施形態の対面プリンタ１００では、対面プリンタ１００が利用される国に対応する、規定最小サイズに関する情報に基づいて、フォントサイズを決定するので、各国の要請に応じたフォントサイズで印字することができる。
【００７１】
上記の実施形態の対面プリンタ１００においては、制御部１９０は、フォントサイズが可変である可変モードと、フォントサイズが固定である固定モードとを切り替える。制御部１９０は、可変モードに切り替えた場合に、商品の重量値に基づいて、商品の重量値のフォントサイズを決定する。
【００７２】
上記の実施形態の対面プリンタ１００では、可変モードと固定モードを切り替えることができるので、実施に即した態様を提供することができる。
【００７３】
（９）変形例
以上の説明では、図８において、制御部１９０は、変数Ｉｎｐｕｔが変数Ｍａｘよりも大きいと判定する場合には、フォントサイズとして変数Ｍａｘを選択したが、変数Ｉｎｐｕｔを選択してもよい。この場合には、制御部１９０は、印字内容を印字エリア内に収めるべく、変数Ｉｎｐｕｔに応じてラベルサイズを調整するとよい。
【００７４】
以上の説明では、図８において、制御部１９０は、変数Ｉｎｐｕｔが変数Ｍｉｎ未満であると判定する場合に、フォントサイズとして変数Ｍｉｎを選択したが、変数Ｉｎｐｕｔが変数Ｍｉｎ未満である旨をユーザに報知してもよい。ユーザへの報知によって、規定最小サイズ以上のフォントサイズを指定するように、ユーザに促すことができる。
【００７５】
以上の説明では、制御部１９０は、表示部１１０に対するユーザ入力に応じて、フォントサイズの設定モードを選択したが、可変モードおよび固定モードのいずれかを示す情報が国コード毎に対応付けられていれば、ユーザによって設定済みの国を示す国コードに応じて設定されてもよい。
【００７６】
以上の説明では、制御部１９０は、ユーザ入力に応じて、可変モードと固定モードを切り替えたが、ラベルの貼付位置に応じて、設定モードを切り替えてもよい。商品の表面側に貼り付けられるラベルには、視認性が要求される。したがって、この場合には、制御部１９０は、可変モードに切り替えるとよい。一方、商品の裏側に貼り付けられるラベルには、表側に貼り付けられるラベルほど視認性が要求されない。したがって、この場合には、制御部１９０は、固定モードに切り替えてもよい。
【００７７】
以上の説明では、ユーザ指定最大サイズが重量レンジに応じて規定されたが、ユーザがフォントサイズを入力しない場合には、ユーザ指定最大サイズは規定されなくてもよい。また、ユーザがフォントサイズを入力しない場合には、最小フォントサイズは、あるフォントサイズサイズ以上（例えば２ｍｍ以上）ではなく、特定の固定値（例えば２ｍｍ）として規定されていればよい。
【００７８】
制御部１９０は、商品の重量に応じて、ラベル長を変えてもよい。例えば、ラベル長を変えることによって、重量値の印字エリアの周辺に空白エリアを増やせば、重量値を目立たせることができる。結果として、重量値に対する視認性の向上が期待できる。この場合に、より視認性を向上させるべく、フォントサイズを変えてもよいし、変えなくてもよい。また、複数種のラベルがセットされていれば、商品の重量に応じて、いずれかのラベルを選択してもよい。
【００７９】
以上の説明では、制御部１９０は、フォーマットデータとして図４で例示したフォーマットデータを用いたが、他のフォーマットデータを用いてもよい。また、複数のフォーマットデータを選択的に用いてもよい。それぞれのフォーマットデータの重量値のフォントサイズは、互いに異なる固定値であってよい。この場合に、制御部１９０は、商品の重量に応じて、フォーマットデータを選択してもよい。すなわち、商品の重量に応じてフォーマットデータを選択することによって、商品の重量に応じたフォントサイズを決定してもよい。
【００８０】
以上の説明では、記憶部１８０は、国コードにより互いに識別される複数のフォントサイズテーブルを記憶したが、他の識別情報により識別される複数のフォントサイズテーブルを記憶してもよい。他の識別情報として地域コード、顧客コード、言語コード等を挙げることができる。また、記憶部１８０が記憶している複数のフォントサイズテーブルの重量レンジは、互いに異なってもよい。また、記憶部１８０は、１つのフォントサイズテーブルのみを記憶してもよい。
【００８１】
以上の説明では、記憶部１８０は、フォントサイズの規定最小サイズに関する情報としてフォントサイズテーブルを記憶したが、規定最小フォントサイズを導出するための数式を記憶してもよい。この場合に、数式は、パラメータとして商品の重量値を含む。これにより、商品の重量に応じた規定最小フォントサイズを導出することができる。
【００８２】
以上の説明では、重量値および重量値単位のフォントサイズは、同一のフォントサイズテーブルによって規定されたが、互いに異なるフォントサイズテーブルによって規定されてもよい。この場合には、記憶部１８０は、重量値用のフォントサイズテーブルおよび重量値単位用のフォンサイズテーブルを記憶している。重量値単位は、固定のフォントサイズであってもよい。すなわち、少なくとも重量値のフォントサイズが商品の重量に応じて可変であればよい。また、重量値単位の表記は、重量レンジに応じて異なってもよい。例えば、重量値が１０００ｇ未満であれば、単位表記は「ｇ」とし、１０００ｇ以上であれば、単位表記は「ｋｇ」としてもよい。
【００８３】
重量値単位に代えて、または、重量値単位に加えて、他の項目が可変モードに対応してもよい。特に、重量値の周辺に印字される項目（例えば値段の項目）が可変モードに対応するとよい。重量値の周辺に印字される項目のフォントサイズが重量値のフォントサイズに合わせて変わることによって、ラベルにおける重量値周辺の統一感を向上させることができる。結果として、ラベルの見栄えの向上が期待できる。
【００８４】
以上の説明では、マスタ商品情報として、商品名、バーコード、および製造者情報を例示したが、マスタ商品情報は、これらに限定されるものではない。これらの一部に代えて、または、これらに加えて、他の項目が含まれてもよい。ラベル情報として、重量値、重量値単位、商品名、消費期限、加工日、値段、バーコード、および製造者情報を例示したが、ラベル情報は、これらに限定されるものではない。重量値を除くこれらの一部に代えて、または、これらに加えて、他の項目が含まれてもよい。
【００８５】
以上の説明では、印字装置として対面プリンタを例に挙げたが、上述の態様は、対面プリンタに限らず様々な印字装置に適用し得る。例えば、商品の計量および包装、ならびに商品に対するラベル貼付という一連の作業を行う計量包装値付機に適用できる。商品のラベル発行、および商品に対するラベル貼付を行う自動ラベラに適用することもできる。また、制御部１９０は、商品の重量に応じて重量値および重量値単位のフォントサイズを決定したが、商品のサイズに応じて重量値および重量値単位のフォントサイズを決定してもよい。この場合には、計量器を備えなくてもよい。以下、自動ラベラを例に挙げて、商品のサイズに応じて重量値および重量値単位のフォントを決定する場合を説明する。
【００８６】
（９−１）自動ラベラの構成
図１０は、印字装置の一例としての自動ラベラ３００の簡易構成図である。自動ラベラ３００は、制御部３１０と、撮像部３２０と、記憶部３３０と、印字部の一例としての値付部３４０とを備える。なお、本変形例においては、縦型ピロー包装機等の計量包装機４００が、自動ラベラ３００の上流側に配置される。ラベル発行および貼付の対象となる商品Ｇは、計量包装機４００からコンベア５００に排出され、搬送される。
【００８７】
なお、ここでは主に、対面プリンタ１００との構成の差異を説明する。ラベル情報、フォーマットデータ等は、既に説明したとおりであるので、説明を省略する。
【００８８】
撮像部３２０は、例えばＣＣＤカメラである。撮像部３２０は、商品Ｇのトレイを撮像し、撮像データを制御部３１０に送信する。
【００８９】
記憶部３３０は、フォントサイズの規定最小サイズに関する情報として、フォントサイズテーブルを記憶している。本変形例のフォントサイズテーブルにおいては、規定最小フォントサイズは、トレイのサイズに応じて規定されている。より詳細には、トレイのサイズが大きくなるほど、規定最小フォントサイズも大きくなる。国コード、規定最小サイズ、およびユーザ指定最大サイズは、既に説明したとおりである。
【００９０】
値付部３４０は、ラベルプリンタ及びラベル発行機を含んで構成される。ラベルプリンタは、商品Ｇに関するラベル情報をラベルに印字する。ラベル発行機は、包装済みの商品Ｇの表面に、ラベルプリンタによってラベル情報が印字されたラベルを貼り付ける。
【００９１】
制御部３１０は、ＣＰＵ、ＲＯＭ、およびＲＡＭ等から構成されるコンピュータである。ＣＰＵがＲＯＭに記憶されている制御プログラムを実行することによって、制御部３１０は、特定の機能部として働く。本変形例においては、制御部３１０は、商品Ｇのサイズに関する情報として商品Ｇのトレイサイズを取得する取得部として機能する。制御部３１０は、撮像データを画像処理して、トレイの縦横寸法を算出することによって、トレイサイズを取得する。
【００９２】
また、制御部３１０は、商品Ｇのトレイサイズに基づいて、商品Ｇの重量値のフォントサイズを決定する決定部として機能する。フォントサイズの設定モードが可変モードに設定されていれば、制御部３１０は、取得したトレイサイズに対応するフォントサイズをフォントサイズテーブルから選択することによって、商品Ｇの重量値のフォントサイズを決定することができる。例えば、図８で示したフォントサイズ決定処理を本変形例に適用することができる。
【００９３】
制御部３１０は、処理対象の商品Ｇに関するラベル情報を計量包装機４００から取得する。制御部３１０は、取得したラベル情報を、フォーマットデータのフォントサイズに示される固定値、および決定したフォントサイズで印字するように値付部３４０を制御する。
【００９４】
制御部３１０は、フォントサイズの設定モードとして、フォントサイズが可変である可変モードと、フォントサイズが固定である固定モードとを切り替える切替部として機能してもよい。
【００９５】
以上の説明では、商品Ｇのサイズとしてトレイのサイズを例に挙げたが、商品Ｇにおけるラベル貼付面（すなわち商品Ｇの表面）のサイズを商品のサイズとして捉えてもよい。
【００９６】
以上の説明では、商品Ｇのサイズは、撮像部３２０により撮像された画像に基づいて決定されたが、ユーザ入力に基づいて決定されてもよい。この場合には、自動ラベラ３００は、撮像部３２０を備えなくてもよく、ユーザ入力を受け付ける受付部を備えるとよい。商品Ｇのサイズは、予め登録されているサイズの中から選択されてもよい。商品毎にトレイの大きさが関連付けられていれば、商品Ｇを呼び出すことにより、当該商品Ｇに関連付けられたトレイの大きさを選択することができる。
【００９７】
フォントサイズテーブルの規定最小フォントサイズは、商品Ｇの重量とサイズの組み合わせに応じて規定されてもよい。この場合には、商品Ｇの重量およびサイズの両方に応じて、重量値のフォントサイズが決定されるので、実際の商品Ｇの態様に、より即した制御が可能になる。
【００９８】
以上、本発明を実施形態を用いて説明したが、本発明の技術的範囲は上記の実施形態に記載の範囲に限定されない。上記の実施形態に、多様な変更または改良を加えることが可能であることは当業者に明らかである。その様な変更または改良を加えた形態も本発明の技術的範囲に含まれ得ることは、特許請求の範囲の記載から明らかである。
【００９９】
特許請求の範囲、明細書、および図面中に示した装置、プログラム、および方法における動作、手順、ステップ、段階等の各処理の実行順序は、特段「より前に」、「先立って」等と明示しておらず、また、前の処理の出力を後の処理で用いる場合でない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１００】
１００  対面プリンタ
１１０  表示部
１４０  印字部
１８０  記憶部
１９０  制御部
３００  自動ラベラ
３１０  制御部
３３０  記憶部
３４０  値付部
【先行技術文献】
【特許文献】
【０１０１】
【特許文献１】特開２０１４−２３１１６６号公報
【図１】
2017007238.tif 000003
【図２】
2017007238.tif 000004
【図３】
2017007238.tif 000005
【図４】
2017007238.tif 000006
【図５】
2017007238.tif 000007
【図６】
2017007238.tif 000008
【図７】
2017007238.tif 000009
【図８】
2017007238.tif 000010
【図９】
2017007238.tif 000011